(57)【要約】【課題】レンズ付きフイルムユニットの外観のデザイン変更及び機能追加をローコストかつ容易に行う。【解決手段】前カバー９には、その前面側に装飾カバー３６が取り付けられる。装飾紙３６の前面３６ａ側にはカラー印刷が施されており、透明な装飾カバー３５を通して、装飾紙３６の前面側に印刷された模様や文字が露呈される。装飾カバー３５を前カバー９に装着して、前カバー９と装飾カバー３５との間に装飾紙３６を挟み込んで保持する。装飾カバー３５は、基本エリア４１と、入れ子エリア４２とから構成される。装飾カバー５１は、入れ子エリア４２の補助金型を交換して成形される。切り換え開口５１ｂに露呈開口切り換えユニット５２が移動自在に挿入される。露呈開口切り換えユニット５２は、切り換えレバー５３と切り換えフィルタ５４とから構成される。【選択図】　　　　図３
2004046058.tif 000002
【特許請求の範囲】
【請求項１】
未露光の写真フイルムが装填され、撮影機構が設けられた本体基部と、この本体基部の前面を覆う前カバーと、この前カバーの表面の少なくとも一部に装着される装飾カバーとを備えたレンズ付きフイルムユニットにおいて、
前記装飾カバーと前記前カバーとの間に挟み込んで保持される装飾紙を備えたことを特徴とするレンズ付きフイルムユニット。
【請求項２】
前記装飾カバーを透明な樹脂により成形したことを特徴とする請求項１記載のレンズ付きフイルムユニット。
【請求項３】
前記前カバー又は前記装飾カバーには、前記装飾紙の仮止め用凸部が形成されており、前記装飾紙に形成された開口部に前記仮止め用凸部が係合して前記装飾紙を仮止めした後、前記装飾カバーが前記前カバーに装着されることを特徴とする請求項１又は２記載のレンズ付きフイルムユニット。
【請求項４】
前記凸部の外周形状を、前記開口部よりも大きくしていることを特徴とする請求項３記載のレンズ付きフイルムユニット。
【請求項５】
未露光の写真フイルムが装填され、撮影機構が設けられた本体基部と、この本体基部の前面を覆う前カバーとを備えたレンズ付きフイルムユニットにおいて、
特殊機能を追加するときには、前記前カバーのみを特殊機能前カバーに交換し、特殊機能部材を前記特殊機能前カバーに装着することを特徴とするレンズ付きフイルムユニット。
【請求項６】
前記前カバーと特殊機能前カバーとは、共通の金型を用いて入れ子の交換のみで成形したことを特徴とする請求項５記載のレンズ付きフイルムユニット。
【請求項７】
特殊機能を追加するときには、前記前カバーに取り付けられた外カバーのみを特殊機能外カバーに交換し、特殊機能部材を前記特殊機能外カバーに装着することを特徴とする請求項５記載のレンズ付きフイルムユニット。
【請求項８】
前記外カバーと特殊機能外カバーとは、共通の金型を用いて入れ子の交換のみで成形したことを特徴とする請求項７記載のレンズ付きフイルムユニット。
【発明の詳細な説明】
【０００１】
【発明の属する技術分野】
本発明は、ユニット本体の表面に装飾カバーを装着する他に、特殊機能を追加できるようにしたレンズ付きフイルムユニットに関するものである。
【０００２】
【従来の技術】
【特許文献１】
特開平１０−３０７３２４号公報
【特許文献２】
特開平９−１９７６２２号公報
【特許文献３】
特開平９−２３０４６０号公報
【０００３】
【従来の技術】
いつでも手軽に写真撮影ができるように、予め写真フイルムを内蔵したレンズ付きフイルムユニットが本出願人より提供されている。このレンズ付きフイルムユニットは、未露光の写真フイルムを装填した本体基部と、この本体基部の前に取り付けられる前カバーと、本体基部の背面に取り付けられる後カバーとを持っている。
【０００４】
最近では、レンズ付きフイルムユニットでも多様なバリエーションが展開されており、デザインにおいても様々な種類のものが望まれている。そこで、前カバーとは別部材の装飾カバーを前カバーの前面に取り付けているレンズ付きフイルムユニットでデザインの変更を行う場合には、この装飾カバーを変更することによって、デザインに多様性を持たせている。装飾カバーは、レンズ付きフイルムユニットの外観を綺麗に装飾するために設けられており、前カバーとは異なる色の樹脂で成形したり、特徴のある形状とするなどの工夫でデザインに変化を持たせている。さらに、特許文献１のカメラ用レンズアダプターでは、光学的な特殊効果を得るために、後付けのアダプタをレンズ付きフイルムユニットに取り付け加えることで、特殊効果を得ている。
【０００５】
【発明が解決しようとする課題】
しかしながら、上述したようなレンズ付きフイルムユニットで外観の変更を行うには、装飾カバーの形状を変更するために金型を新たに設計しなおしたり、異なる樹脂で成形するために工程を変更したりしなければならず、コスト増加の原因となる。また、光学的な特殊効果、例えば望遠性能を高めるには、後付けで望遠アダプタを本体に取り付け加える必要があり、その分のコストかかっていた。
【０００６】
また、特許文献２や特許文献３のカメラでは、外装を構成するカバーを透明な樹脂により成形し、カバーの内面側と撮影機構との間に挟まれるように装飾紙を配置しており、透明なカバーを通して露呈される装飾紙を変更することによって、デザインを変更することが考えられるが、上記公報に記載されているカメラでは、シャッタ機構や巻き上げ機構などの駆動部に干渉しないように、装飾紙を形成する工程で切り抜き及び折り曲げ加工を高精度に行わなければならず、加工が非常に困難であり、さらに組み立ての際に手間がかかることになる。
【０００７】
本発明は、上記問題を解決するためになされたものであり、外観のデザイン変更及び特殊機能の追加をローコストかつ容易に行うことができるレンズ付きフイルムユニットを提供することを目的とする。
【０００８】
【課題を解決するための手段】
上記目的を達成するために、本発明のレンズ付きフイルムユニットは、装飾カバーと前カバーとの間に挟み込んで保持される装飾紙を備えている。なお、前記装飾カバーを透明な樹脂により成形していることが好ましい。また、前記前カバー又は前記装飾カバーには、前記装飾紙の仮止め用凸部が形成されており、前記装飾紙に形成された開口部が前記仮止め用凸部に係合して前記装飾紙を仮止めした後、前記装飾カバーが前記前カバーに装着されることが好ましい。さらに、前記凸部の外周形状を、前記開口部よりも大きくしていることが好ましい。
【０００９】
また、特殊機能を追加するときには、前カバーのみを特殊機能前カバーに交換し、特殊機能部材を前記特殊機能前カバーに装着することや、前記前カバーに取り付けられる外カバーのみを特殊機能外カバーに交換し、特殊機能部材を前記特殊機能外カバーに装着することが好ましい。さらに、前記前カバーと特殊機能前カバーとは、共通の金型を用いて入れ子の交換のみで成形することや、前記外カバーと特殊機能外カバーとは、共通の金型を用いて入れ子の交換のみで成形することが好ましい。
【００１０】
【発明の実施の形態】
図１は、本発明を実施したレンズ付きフイルムユニット（以後、フイルムユニットと記す）２を示す外観斜視図であり、図２は、フイルムユニット２を示す分解斜視図である。図１に示すように、フイルムユニット２は、ユニット本体３と外装ラベル４で構成される。ユニット本体３は、図２に示すように、主にプラスチック成形された複数の部品からなり、簡単な撮影機構が設けられた露光ユニット６が組み込まれ、フイルムパトローネ７が装填された本体基部８と、これを前後から覆う前カバー９及び後カバー１０とで構成される。
【００１１】
ユニット本体３は、その前面に、撮影レンズ１１，ファインダ対物窓１２，ストロボ発光窓１３，ストロボ操作ノブ１４が、上面には、レリーズボタン１５，フイルムカウンタ窓１６，ストロボ充電完了表示ランプ１７が、背面には巻上げノブ１８，ファインダ接眼窓　（図示せず）　、グリップ部１９がそれぞれ設けられている。外装ラベル４は、ユニット本体３の表面を覆う外装体として用いられ、ユニット本体３の中央部上面から背面、底面にかけて帯状に覆っている。
【００１２】
本体基部８には、左右にパトローネ室２２とフイルムロール室２３とが一体に形成されており、それらの間に露光ユニット６が組み込まれている。また、露光ユニット６とフイルムロール室２３との間には、ストロボユニット２４が爪結合により取り付けられる。また、パトローネ室２２及びフイルムロール室２３には、フイルムパトローネ７と、このフイルムパトローネ７から引き出された未露光の写真フイルム２５をロール状にしたフイルムロール２５ａとがそれぞれ装填される。パトローネ室２２の上部には巻上げノブ１８が回動自在に配置され、その下部に一体に設けられた軸部材がパトローネ室２２に収納されたフイルムパトローネ７のスプールに係合される。この巻上げノブ１８を図中反時計方向に回動させることにより、撮影済の写真フイルム２５がフイルムパトローネ７内に巻き上げられる。
【００１３】
ストロボユニット２４は、回路基板２９にストロボ発光部３０、メインコンデンサ３１、電池３２、シンクロスイッチ３３等を組み付けてユニット化したものである。回路基板３０の前面側に支持板３４が配置され、この支持板３４の前面側にストロボ操作ノブ１４がスライド自在に支持されている。ストロボ操作ノブ１４が上方に向けてスライドされると、回路基板３０上に設けられた金属接片３５がＯＮとなりメインコンデンサ３１への充電が開始される。このストロボユニット２４は、シャッタ機構により駆動されるシャッタ羽根の開閉に同期してシンクロスイッチ３３が短絡し、ストロボ光を発光させるようになっている。
【００１４】
露光ユニット６には、撮影レンズ１１、撮影レンズ１１を保持するレンズ鏡胴部２７、シャッタ機構、フイルム巻き止め機構、残り撮影可能コマ数を表示するためのカウンタ機構、ファインダなどが組み込まれている。
【００１５】
前カバー９には、詳しくは図３に示すように、その前面側に装飾カバー３５が取り付けられ、前カバー９と装飾カバー３５との間に挟まれて装飾紙３６が保持される。装飾紙３６の前面３６ａ側には、外観デザインを綺麗にするための様々な模様や、製品企業名を表すロゴなどの文字がカラー印刷されており、透明な装飾カバー３５を通して、装飾紙３６の前面側に印刷された模様や文字が露呈される。前カバー９の前面には、周囲よりも一段凹となっている凹部３７が設けられている。凹部３７の周囲には、装飾カバー３５を係合させる溝部３８が形成されており、嵌合ボス３９が複数箇所に形成されている。また、凹部３７の中央付近には、レンズ鏡胴部３５が貫通し、前方へ突出する鏡胴用開口３７ａが形成されており、鏡胴用開口３７ａの右側には、ストロボ操作ノブ１４が露呈するストロボ操作ノブ露呈開口３７ｂが形成されている。また、ストロボ操作ノブ１４とは反対側の位置には、前方へ突出する複数の滑り止め突起部３７ｃが一体に形成されている。
【００１６】
装飾カバー３５は、透明な樹脂により成形されており、薄板形状の透明板３５ａの背面側から突出して爪部３５ｂ（図４参照）が配置されている。透明板３５ａは正面から見たとき、両側方部が半円形状で、その半円形状の間に挟まれている上辺と下辺が直線状となる長円に近似した形に成形されている。装飾カバー３５は、透明板３５ａの中央部にレンズ露呈開口３５ｃ，その上方にファインダ露呈切り欠き部３５ｄ，側方部にストロボ操作ノブ露呈開口３５ｅ、及びストロボ操作ノブ露呈開港３５ｅの上方にストロボ発光窓露呈切り欠き３５ｆが形成されており、それぞれ撮影レンズ１１，ファインダ対物窓１２、ストロボ操作ノブ１４、ストロボ発光窓１３を露呈させる。透明板３５ａは、前カバー９の凹部３７とほぼ同形状である。
【００１７】
また、透明板３５ａのストロボ操作ノブ露呈開口３５ｅとは反対側の一端は、周囲よりも一段凹となるグリップ部１９を形成している。グリップ部１９の周辺には、複数の位置決め孔３５ｇが形成されている。位置決め孔３５ｇには、前カバー９の滑り止め突起部３７ｃが係合して透明板３５ａの前方へ突出する。
【００１８】
装飾カバー３５の背面側には、詳しくは図４に示すように、爪部３５ｂと、嵌合ピン３５ｈと、位置決めピン３５ｉとがそれぞれ複数箇所に配置されて透明板３４ａと一体に形成されている。嵌合ピン３５ｈは、前カバー９の嵌合ボス３９と嵌合する。これによって装飾カバー３５は前カバー９とより強固に結合することができる。
【００１９】
装飾紙３６は、装飾カバー３５、及び前カバー９の凹部３７とほぼ同じ形状で凹部３７からはみ出さないように、一回り小さく形成されている。この装飾紙３６には、複数の嵌合孔３６ｂ，位置決め孔３６ｃがそれぞれ形成されている。嵌合孔３６ｂの直径ｄ１は、嵌合ピン３５ｈの直径ｄ２より小さく開口されている。
【００２０】
装飾カバー３５、及び装飾紙３６の組み付け工程においては、先ず図４に示すように装飾カバー３５の前面側が下方を向くように作業台の上に置かれる。そしてロボットアームなどに把持された装飾紙３６が上方から装飾カバー３５に向かって直進する。そして嵌合孔ボス３５ｇの位置に嵌合孔３６ｂの位置を合わせるようにして、ロボットアームが装飾紙３６を装飾カバー３５に向かって押さえ付ける。これによって、嵌合ピン３５ｈに嵌合孔３６ｂが圧入されて、嵌合ピン３５ｈは、装飾紙３６の背面側へ突出する。また、同時に位置決めピン３５ｉが位置決め孔３６ｃを貫通する。嵌合孔３６ｂの直径ｄ１は、嵌合ピン３５ｈの直径ｄ２より小さく開口されているので、装飾紙３６は装飾カバー３５に係合し、仮止めされた状態となって次の工程に進む。
【００２１】
次の工程では、装飾紙３６が仮止めされた装飾カバー３５が先程とは別のロボットアームによって把持されて、前カバー９に向かって直進する。そして、爪部３５ｂを前カバー９の溝部３８に係合させ、かつ嵌合ピン３５ｈを嵌合ボス３９に嵌合させることにより、装飾カバー３５を前カバー９に対して緊密に係合されるとともに、装飾紙３６が装飾カバー３５と前カバー９との間に挟み込まれて保持される。なお、前カバー９の前面と装飾カバー３５の前面との境界は段差にならないように、装飾カバー３５及び装飾紙３６の厚みを考慮して凹部３７の寸法を決めている。
【００２２】
図５は、レンズ付きフイルムユニット２（図５（Ａ））の正面図と、露呈開口切り換え機能付きのレンズ付きフイルムユニット５０（図５（Ｂ））の正面図とを比較して示している。なお、レンズ付きフイルムユニット２の部品と同じものについては、同じ符号を付して説明を省略している。
【００２３】
図５（Ａ）及び図５（Ｂ）に示すように、装飾カバー３５，５１は、基本金型により共通な外形に対応したキャビティを形成する基本エリア４１と、この基本金型の一部にキャビティの輪郭内で入れ子式に着脱される複数種の補助金型により形成される入れ子エリア４２（図中点線で囲んだ部分）とから構成される。補助金型は、製造対象となる機種に応じて、共通する基本金型と組み合わせて用いられるものである。基本金型のキャビティには、装飾カバー３５，５１の共通部分である基本エリア４１を成形する成形型を設けている。入れ子エリア４２は、補助金型の交換により、装飾カバー３５には入れ子エリア部４２ａが、機能追加用の装飾カバー５１には入れ子エリア部４２ｂが形成される。
【００２４】
図５（Ｂ）に示すように、露呈開口切り換え機能付きのフイルムユニット５０は、露呈開口切り換え機能のないレンズ付きフイルムユニット２と部品や、樹脂成形用の金型を共通化して組み立てられている。前カバー９は共通に用いられており、装飾カバー５１の前面では、撮影レンズ１１，ファインダ対物窓１２，ストロボ発光窓１３，ストロボ操作ノブ１４，グリップ部１９周辺の構成が共通している。
【００２５】
装飾カバー５１は、入れ子エリア４２の補助金型を交換して成形される。なお、基本エリア４１に設けられた装飾カバー３５と同様なものに関しては同じ符号を付して説明を省略する。図５及び図６に示すように、装飾カバー５１には、入れ子エリア４２に入れ子エリア部４２ｂが形成されており、この入れ子エリア部４２ｂには、レンズ露呈開口５１ａと、切り換え開口５１ｂとが設けられている。露呈開口切り換えユニット５２は、切り換えレバー５３と切り換えフィルタ５４とから構成され、切り換えレバー５３が切り換え開口５１ｂに移動自在に挿入されている。切り換えフィルタ５４には、小開口５４ａが設けられている。切り換えレバー５３を左右に移動させると、切り換えフィルタ５４は、レンズ露呈開口５１ａを露呈する位置と、レンズ露呈開口５１ａを塞ぎ小開口５４ａを露呈する位置とで移動する。
【００２６】
本実施形態の作用の説明を行う。フイルムユニット２の外観デザインを変更するときには、装飾紙３６に印刷する模様や文字を変更すればよい。後は上述した組み立て工程に沿って装飾紙３６が組み込まれれば、フイルムユニット２は異なる外観デザインが施されることになる。これによって、組み立て工程や、樹脂材料などの変更を行うことなく、ローコストかつ容易に外観デザインの変更を行うことができる。また、装飾紙３６の仮止めを行うときに、嵌合ピン３５ｈに嵌合孔３６ｂが圧入されているので、その後の工程で装飾紙３６がずれることなくスムーズに組み立て工程を行うことができる。
【００２７】
フイルムユニット２に、露呈開口切り換え機能を持たせるときには、図５（Ｂ）に示すように、入れ子エリア４２の補助金型を交換して装飾カバー５１を成形する。装飾カバー５１を組み込む場合には、まず、露呈開口切り換えユニット５２の切り換えレバー５３を切り換え開口５１ｂに挿入する。装飾カバー５０は、入れ子エリア４２以外の基本エリア４１は、装飾カバー３５と同様に形成されており、後は上述した組み立て工程に沿って装飾カバー５１を組み込むと、フイルムユニット２は露呈開口切り換え機能を備えることになる。これによって、組み立て工程を大きく変更することなく、ローコストかつ容易に機能の追加を行うことができる。
【００２８】
図５（Ｂ）に示すように、切り換えレバー５３を左側に配置した場合には、切り換えフィルタ５４は、レンズ露呈開口５１ａを塞ぎ小開口５４ａを露呈する。そして、図７に示すように、切り換えレバー５３を右側に移動させると、切り換えフィルタ５４は、レンズ露呈開口５１ａを露呈する。
【００２９】
露呈開口切り換え機能のないレンズ付きフイルムユニット２に装着する装飾カバー３５を射出成形する場合には、レンズ露呈開口３５ｃを備えた入れ子エリア部４２ａを成形する成形型を、露呈開口切り換え機能付きのフイルムユニット５０に装着する装飾カバー５１を射出成形する場合には、レンズ露呈開口５１ａと切り換え開口５１ｂとを備えた入れ子エリア部４２ｂを成形する成形型を、それぞれ補助金型に設けている。このようにして、少数の補助金型を入れ替えるだけで、露呈開口切り換え機能なしタイプと露呈開口切り換え機能付きタイプとのそれぞれに対応することが可能であり、共通な部品及び共通な成形金型を使用することによってさらなるコストダウンを図ることが可能である。そして、露呈開口切り換え機能に必要な切り換えレバー５３、切り換えフィルタ５４の追加だけで、露呈開口切り換え機能を備えることができ、機能追加に伴うコストアップを抑えることができる。
【００３０】
露呈開口切り換え機能付きのフイルムユニット５０においてもレンズ付きフイルムユニット２と同様に、装飾紙を装飾カバー５１と前カバー９との間に挟みこんで保持しており、装飾カバー３５，５１は、外形に共通部分が多いため、上述した装飾紙３６を露呈開口切り換え機能なしタイプと露呈開口切り換え機能付きタイプとで共通して使用することもできる。なお、上述したような入れ子式の成形金型については特開平１０−２６０５０９号公報に記載されており、基本金型及び補助金型についてはほぼ同様の構成である。
【００３１】
なお、上記実施形態においては、装飾カバー３５のみを機能追加用の装飾カバー５１に交換して機能を追加する構成にしたが、前カバー９のみを機能追加用の前カバーに交換して機能を追加する構成にしてもよい。また、露呈開口切り換えユニット５２を追加して露呈開口の切り換え機能を追加したが、これに限定されることなく、その他の特殊機能に対応した特殊機能部材を追加してもよい。
【００３２】
また、上記実施形態においては、装飾カバー３５に形成された嵌合ピン３５ｈに装飾紙３６の嵌合孔３６ｂを圧入することによって装飾紙３６を仮止めしているが、本発明はこれに限るものではなく、例えば、前カバー９に形成された突起部に嵌合孔３６ｂを圧入させて装飾紙３６の仮止めを行った後、装飾カバー３５を前カバー９に取り付けて装飾紙３６を保持してもよい。またこの場合、嵌合孔３６ｂを圧入させる突起部としては、例えば前カバー９に形成された嵌合ボス３９などでもよい。さらにまた、突起部の形状としては、円柱状に限らずどのような断面形状でもよく、これに対応する嵌合孔３６ｂよりも１回り大きい外周形状であればよい。
【００３３】
さらに、上記実施形態では、ストロボユニット内蔵型のレンズ付きフイルムユニットを例に上げて説明したが、本願発明はストロボユニット２４が内蔵されていないレンズ付きフイルムユニットにも適用することができる。図８は、ストロボユニット内蔵型のレンズ付きフイルムユニット２（図８（Ａ））の正面図と、ストロボユニット非内蔵型のレンズ付きフイルムユニット６０（図８（Ｂ））の正面図とを比較して示している。なお、上記実施形態で説明したレンズ付きフイルムユニット２の部品と同じものについては、同じ符号を付して説明を省略している。
【００３４】
なお、このストロボ非内蔵型のレンズ付きフイルムユニット６０では、ストロボ内蔵型のレンズ付きフイルムユニット２と部品や、樹脂成形用の金型を共通化して組み立てられている。前カバー６２及び装飾カバー６１の前面では、撮影レンズ１１，ファインダ対物窓１２，グリップ部１９周辺の構成が前カバー９及び装飾カバー３５と共通している。そして、レンズ付きフイルムユニット６０はストロボ非内蔵型であるため、前カバー６２では、ストロボ発光窓１３が省略されており、そして装飾カバー６１では、ストロボ操作ノブ１４の露呈開口３５ｅが設けられておらず、その部分は平面で形成されている。また、装飾カバー６１では、ストロボ発光窓１３を露呈させるための露呈切り欠き部３５ｄがなく、両側方部が完全な半円形状の外周となっている。このように、前カバー９と前カバー６２とでは、ストロボ発光窓１３から正面左側の部分９ａ，６２ａが同じ形状で、装飾カバー３５及び６１もその対応する部分３５ｊ，６１ａが共通になっている。そして、前カバー９，６２のストロボ発光窓１３から正面右側の部分９ｂ，６２ｂと、これに対応する装飾カバー３５，６１の正面右側部分３５ｋ，６１ｂは形状が異なる個所がある。
【００３５】
そしてこのような前カバー９，６２及び装飾カバー３５，６１を製造する成形金型では、共通な外形に対応したキャビティを形成する基本金型と、この基本金型の一部にキャビティの輪郭内で入れ子式に着脱される複数種の補助金型を組み合わせて構成される。補助金型は、製造対象となる機種に応じて、共通する基本金型と組み合わせて用いられるものである。基本金型のキャビティには、前カバー９，６２の共通部分（ストロボ発光窓１３から正面左側の部分９ａ，６２ａ）を成形する成形型を設けている。
【００３６】
ストロボ内蔵型の前カバー９を射出成形する場合、ストロボ発光窓１３を備えた部分９ｂ（正面右側の部分）を成形する成形型を、ストロボ非内蔵型の前カバー６２を射出成形する場合には、ストロボ発光部１３が省略された部分６２ｂ（正面右側の部分）を成形する成形型を、それぞれ補助金型に設けている。また、装飾カバー３５，６１についても同様にして、共通部分３５ｊ，６１ａを基本金型で、異なる部分３５ｋ，６１ｂを補助金型で成形するように組み合わせている。このようにして、少数の補助金型を入れ替えるだけで、ストロボ内蔵型及びストロボ非内蔵型にそれぞれ対応することが可能であり、共通な部品及び共通な成形金型を使用することによってさらなるコストダウンを図ることが可能である。そして、レンズ付きフイルムユニット６０においても上記実施形態と同様に、装飾紙を装飾カバー６１と前カバー６２との間に挟みこんで保持しており、装飾カバー３５，６１は、外形に共通部分が多いため、上述した装飾紙３６をストロボ内蔵型とストロボ非内蔵型とで共通して使用することもできる。なお、上述したような入れ子式の成形金型については特開平１０−２６０５０９号公報に記載されており、基本金型及び補助金型についてはほぼ同様の構成である。
【００３７】
また、ストロボ内蔵型とストロボ非内蔵型の部品及び成形金型を共通化して組み立てる構成としては上記例に限るものではない。図９は、上記例とは異なる構成で、ストロボユニット内蔵型のレンズ付きフイルムユニット２と、ストロボ非内蔵型のレンズ付きフイルムユニット６５を成形したときの比較例を示すものである。なお、上記実施形態で説明したレンズ付きフイルムユニット２，６０の部品と同じものについては、同じ符号を付して説明を省略している。
【００３８】
図９（Ａ）に示すレンズ付きフイルムユニット２の装飾カバー３５では、ストロボ操作ノブ１４の露呈開口３５ｅの上方にストロボ内蔵型であることを示す「ＦＬＡＳＨ」という文字型に突出した文字突起部３５ｌが一体に形成されており、図９（Ｂ）に示すレンズ付きフイルムユニット６５の装飾カバー６７では、ストロボ非内蔵型で屋外撮影用であることを示す「ＯＵＴＤＯＯＲ」という文字型に突出した文字突起部６７ａが形成されている。なお、レンズ付きフイルムユニット６５の前カバー６８は上述した前カバー６２と同様の構成であり、説明を省略する。
【００３９】
そして、このような装飾カバー３５，６７を製造する成形金型では、図９（Ａ）、及び図９（Ｂ）の点線で囲んでいる部分３５ｍ，６７ｂだけを補助金型により成形し、その他の部分を基本金型により成形する。装飾カバー３５の点線囲み部分３５ｍはすなわち、文字突起部３５ｌとストロボ操作ノブ露呈開口３５ｅの周辺部分であり、装飾カバー６７の点線囲み部分６７ｂはすなわち、文字突起部６７ａと，ストロボ操作ノブに相当する個所の周辺部分であり、上記例の補助金型で成形した部分よりも面積が少ない。これによって、上記例より小さな補助金型を入れ替えるだけで、ストロボ内蔵型及びストロボ非内蔵型にそれぞれ対応することが可能であり、さらなるコストダウンを図ることが可能である。
【００４０】
また、部品及び成形金型を共通化して異なるレンズ付きフイルムユニットを組み立てる構成としてはこれらの他にも、前カバーや装飾カバーにストロボ操作ノブを一体にし、補助金型を入れ替えることでストロボ操作ノブの有無を選択して成形したり、前カバーは共通で装飾カバーのみ異なる形状に成形したり、文字のみを補助金型によって変更する構成とすることもできる。あるいは、ストロボ発光窓及びストロボ操作ノブに形状及び機能的に干渉しない位置に装飾カバーを配置するようにして、前カバーのストロボ発光窓及びストロボ操作ノブの補助金型のみを入れ替えて、装飾カバーを共通にする構成にしてもよい。
【００４１】
なお、上述したように部品及び成形金型を共通化して異なるレンズ付きフイルムユニットを組み立てる構成とした場合には、装飾紙を省略し、補助金型の入れ替えによる形状の変更で装飾カバーなどの形状を変更し、外観デザインを変更することができる。
【００４２】
【発明の効果】
以上で詳細に説明したように、本発明のレンズ付きフイルムユニットでは、装飾カバーと前記前カバーとの間に装飾紙を挟み込んで保持しているので、レンズ付きフイルムユニットの外観デザインの変更を容易に行うことが可能であり、さまざまなバリエーションのレンズ付きフイルムユニットをローコストに製造することができる。また、特殊機能を追加するときには、前カバーのみを特殊機能前カバーに交換し、特殊機能部材を特殊機能前カバーに装着するか、前カバーに取り付けられる外カバーのみを特殊機能外カバーに交換し、特殊機能部材を特殊機能外カバーに装着するから、容易に特殊機能を追加することができる。さらに、前カバーと特殊機能前カバーと、外カバーと特殊機能外カバーとを、それぞれ共通の金型を用いて入れ子の交換のみで成形するから、特殊機能の追加をローコストで実現することができる。
【図面の簡単な説明】
【図１】本発明のレンズ付きフイルムユニットを示す外観斜視図である。
【図２】図１に示すレンズ付きフイルムユニットの構成を示す分解斜視図である。
【図３】図１に示すレンズ付きフイルムユニットの前カバー周辺の構成を示す分解斜視図である。
【図４】装飾紙の仮止め工程の状態を示す斜視図である。
【図５】図１に示すレンズ付きフイルムユニット（Ａ）と部品及び成形金型を共通化した露呈開口切り換え機能付きのレンズ付きフイルムユニット（Ｂ）との一例を示す正面図である。
【図６】図５（Ｂ）に示す露呈開口切り換え機能付きのレンズ付きフイルムユニットの装飾カバー周辺の構成を示す分解斜視図である。
【図７】図５（Ｂ）に示す露呈開口切り換え機能付きのレンズ付きフイルムユニットの露呈開口切り換え後の状態を示す正面図である。
【図８】図１に示すストロボ内蔵型のレンズ付きフイルムユニット（Ａ）と部品及び成形金型を共通化した非ストロボ内臓型のレンズ付きフイルムユニット（Ｂ）との一例を示す正面図である。
【図９】図８に示すものとは異なる部分を共通化したストロボ内蔵型のレンズ付きフイルムユニット（Ａ）と非ストロボ内臓型のレンズ付きフイルムユニット（Ｂ）との一例を示す正面図である。
【符号の説明】
２，５０，６０，６５　レンズ付きフイルムユニット
３５，５１，６１，６７　装飾カバー
３５ｈ　嵌合ピン
３６　装飾紙
３６ｂ　嵌合孔
３９　嵌合ボス
４１　基本エリア
４２　入れ子エリア
４２ａ，４２ｂ　入れ子エリア部
５１ａ　レンズ露呈開口
５１ｂ　切り換え開口
５２　露呈開口切り換えユニット
５３　切り換えレバー
５４　切り換えフィルタ
５４ａ　小開口
【図１】
2004046058.tif 000003
【図２】
2004046058.tif 000004
【図３】
2004046058.tif 000005
【図４】
2004046058.tif 000006
【図５】
2004046058.tif 000007
【図６】
2004046058.tif 000008
【図７】
2004046058.tif 000009
【図８】
2004046058.tif 000010
【図９】
2004046058.tif 000011